(57)【特許請求の範囲】
【請求項１】
複数の枠材（１１ａ）を矩形状に組立てて形成した矩形枠体（１１）の前面に、平板状の外装材（１２）を取付けて構成する建物の外壁パネルであり、矩形枠体（１１）のコーナー部に防水テープ（１４）を貼着して枠材（１１ａ）と枠材（１１ａ）との継目部分（１１ｂ）を密封し、矩形枠体（１１）と外装材（１２）との間に弾性シール材（１３）を設けて矩形枠体（１１）と外装材（１２）との間部分（１３ａ）を密封してなる防水性外壁パネル。
【請求項２】
コーナー部の防水テープの貼着は、矩形枠体（１１）の左上にあっては、裏面を接着面（１４ｃ）とした防水テープ（１４）を略逆Ｌ字状とし、該防水テープ（１４）を矩形枠体（１１）コーナー部の前面に、その狭幅下部（１４ｂ，ＺＭ）の右半分（ＺＴ）が当接するように配置し、前記防水テープ（１４）の広幅上部（１４ａ，ＹＷ）を後方へ折り曲げてその右端部分（ＴＹ）を前記矩形枠体（１１）の上面に当接させた後、前記狭幅下部（１４ｂ，ＺＭ）の左半分（ＺＮ）を後方へ折り曲げ、前記広幅上部（１４ａ，ＹＷ）の左過半部分（ＹＳ）を下方へ折り曲げることによって、前記狭幅下部（１４ｂ，ＺＭ）の左半分（ＺＮ）の上端部に形成される三角形状の非接着面（１４ｄ）を、その前方部分を除く残りの全ての部分を接着面（１４ｃ）によって囲んで、前記矩形枠体（１１）に密接させてなり、他のコーナー部にあっては、左上と対称の関係で当接配置，折り曲げ，密接させてなる請求項１に記載の防水性外壁パネル。
【発明の詳細な説明】
【０００１】
【発明の属する技術分野】
本発明は、建物の外壁を形成する、防水性に優れた外壁パネルに関するものである。
【０００２】
【従来の技術】
図１乃至図３を参照して説明する。従来、建物の外壁を形成する外壁パネルにおいて、矩形状の枠体１１に平板状の外装材１２を取付けて構成するものがある。この外壁パネル２０は、まず複数の枠材１１ａを矩形状に組立てて矩形枠体１１を形成した後、その矩形枠体１１の前面に外装材１２をビス１５で固定し、防水テープ２１を矩形枠体１１と外装材１２とを跨いだ状態で、全てのコーナー部を含む三辺にわたって貼着している。そして、建物への取付けにおいては、予め工場等で当該外壁パネル２０の長辺の一方（防水テープ２１が貼り付けられていない辺）に乾式目地材２６を両面テープ等で貼り付けた後、他の外壁パネル２０に隣接して順次、建物に取付ける。これによって、両外壁パネル２０間の防水性を確保することとしている。
【０００３】
こうした構成の従来の外壁パネル２０にあっては、防水テープ２１を矩形枠体１１と外装材１２とに跨って貼着することとしているために、図３に示すように、乾式目地材２６を長辺の一方に貼り付けた外壁パネル２０を建物に組付ける際に、その防水テープ２１が、すでに取付けられた隣接する外壁パネル２０の乾式目地材２６によってめくられてしまう危険性がある。また、逆に、取り付けようとしている外壁パネル２０の目地材２６が、すでに取り付けられている隣接する外壁パネル２０の防水テープ２１をめくってしまう場合もある。防水テープ２１がめくれてしまうと、矩形枠体１１と外装材１２との間から雨水等が侵入してしまい、防水性が低下してしまう。
【０００４】
また、矩形枠体１１または外装材１２の成形寸法誤差により、当該矩形枠体１１と外装材１２との間に段差が生じる場合がある。係る場合、防水テープ２１がその段差部分で浮いてしまい防水性が低下してしまう。特に、コーナー部では矩形枠体１１あるいは外装材１２のどちらか一方の周長が短くなるため、防水テープ２１がさらに顕著に浮き上がってしまい、防水性を大きく低下させることになる。
【０００５】
【発明が解決しようとする課題】
解決しようとする課題は、従来の外壁パネル２０は、防水テープ２１を矩形枠体１１と外装材１２とに跨って貼着しているので、乾式目地材２６を貼り付けた外壁パネル２０を建物に取付ける際に、乾式目地材２６が隣接する外壁パネル２０の防水テープ２１をめくってしまい、矩形枠体１１と外装材１２との間から雨水等が侵入して防水性が低下することである。
【０００６】
【課題を解決するための手段】
図４乃至図７を参照して説明する。請求項１の発明は、複数の枠材１１ａを矩形状に組立てて形成した矩形枠体１１の前面に、平板状の外装材１２を取付けて構成する建物の外壁パネルであり、矩形枠体１１のコーナー部に防水テープ１４を貼着して枠材１１ａと枠材１１ａとの継目部分１１ｂを密封し、矩形枠体１１と外装材１２との間に弾性シール材１３を設けて矩形枠体１１と外装材１２との間部分１３ａを密封してなるものである。
【０００７】
請求項２の発明は、請求項１の発明に係る防水性外壁パネルにおいて、コーナー部の防水テープの貼着は、矩形枠体１１の左上にあっては、裏面を接着面１４ｃとした防水テープ１４を略逆Ｌ字状とし、該防水テープ１４を矩形枠体１１コーナー部の前面に、その狭幅下部１４ｂ（ＺＭ）の右半分（ＺＴ）が当接するように配置し、前記防水テープ１４の広幅上部１４ａ（ＹＷ）を後方へ折り曲げてその右端部分（ＴＹ）を前記矩形枠体１１の上面に当接させた後、前記狭幅下部１４ｂ（ＺＭ）の左半分（ＮＺ）を後方へ折り曲げ、前記広幅上部１４ａ（ＹＷ）の左過半部分（ＹＳ）を下方へ折り曲げることによって、前記狭幅下部１４ｂ（ＺＭ）の左半分（ＺＮ）の上端部に形成される三角形状の非接着面１４ｄを、その前方部分を除く残りの全ての部分を接着面１４ｃによって囲んで、前記矩形枠体１１に密接させてなり、他のコーナー部にあっては、左上と対称の関係で当接配置，折り曲げ，密接させてなるものである。
【０００８】
【発明の実施の形態】
本発明の一実施形態について説明する。本実施形態に係る防水性外壁パネル１０は、四本の直線状の枠材１１ａを長方形状の枠に組立てて形成した矩形枠体１１の前面に、平板状の外装材１２を取付けて構成する建物の外壁パネルである。矩形枠体１１の各コーナー部には防水テープ１４を貼着して、隣接する枠材１１ａと枠材１１ａとの継目部分１１ｂを密封している。さらに、矩形枠体１１と外装材１２との間に、ゴムや樹脂製の直線状の発泡弾性シール材１３を、矩形枠体１１の各前縁に設けて矩形枠体１１と外装材１２との間部分１３ａを密封することとしている。発泡弾性シール材１３は、厚さ２〜６ｍｍ、巾１０〜５０ｍｍ程度の大きさで、反発力が２〜８０Ｋｐａのものを使用するのが好ましい。
【０００９】
なお、本実施形態にあっては、防水テープ１４を略Ｌ字状としている。こうすることによって、当該防水テープ１４を折り畳むようにして矩形枠体１１のコーナー部に貼着する際に、その接着面１４ｃ同士が合体して形成される三角形状の非接着面１４ｄの、前方部分を除く残りの部分である上方部分（矩形枠体１１の上面部分）、下方部分および後方部分の全てを接着面１４ｃで囲むこととし、これによって非接着面１４ｄを矩形枠体１１に密接させている。なお、防水テープ１４は一般に使用される片面ブチルテープ、例えば、日東全天テープ、ＦＡテープ、ＥＸテープと称されるものを使用することができる。
【００１０】
本実施形態における防水テープ１４の貼着順序を説明する。
［一］  図６に示す矩形枠体１１の左上にあっては、裏面を接着面１４ｃとした防水テープ１４を略逆Ｌ字状に配置し、該防水テープ１４を矩形枠体１１コーナー部の前面に、その狭幅下部１４ｂ（ＺＭ：Ｚ帯とＭ帯の交差部分）の右半分（ＺＴ：Ｚ帯とＴ帯の交差部分）が矩形枠体１１が当接するように配置する（図６（ａ），（ｄ）参照）。
［二］  前記防水テープ１４の広幅上部１４ａ（ＹＷ：Ｙ帯とＷ帯の交差部分）を後方へ折り曲げてその右端部分（ＴＹ：Ｔ帯とＹ帯の交差部分）を前記矩形枠体１１の上面に当接させる。
［三］  狭幅下部１４ｂ（ＺＭ：Ｚ帯とＭ帯の交差部分）の左半分（ＮＺ：Ｎ帯とＺ帯の交差部分）を後方へ折り曲げる（図６（ｂ），（ｄ）参照）。
［四］  広幅上部１４ａ（ＹＷ：Ｙ帯とＷ帯の交差部分）の左過半部分（ＹＳ：Ｙ帯とＳ帯の交差部分）を下方へ折り曲げる（図６（ｃ），（ｄ）参照）。
このようにすることによって、狭幅下部１４ｂ（ＺＭ：Ｚ帯とＭ帯の交差部分）の左半分（ＺＮ：Ｚ帯とＮ帯の交差部分）の上端部に形成される三角形状の非接着面１４ｄを、その前方部分を除く残りの全ての部分を接着面１４ｃによって囲んで、矩形枠体１１に密接させている。他のコーナー部にあっては、左上と対称の関係で当接配置，折り曲げ，密接させている。
【００１１】
ちなみに、防水テープ１４を通常の長方形状とすると、図７に示すように、折り畳む際に接着面１４ｃ同士が合体して形成される三角形状の非接着面１４ｄは、その上方部分（矩形枠体１１の上面部分）と後方部分は接着面１４ｃで囲まれるものの、その下方部分には接着面１４ｃが存在しないものとなる。従って、非接着面１４ｄは矩形枠体１１から浮いた状態となり、防水性が劣るものとなる。
【００１２】
なお、本実施形態に係る防水性外壁パネル１０は、次のようにして組立てる。まず、四本の枠材１１ａを組立てて矩形枠体１１を形成する。次に、当該矩形枠体１１の各コーナー部に略Ｌ字状の防水テープ１４を貼着する。続いて、弾性シール材１３を矩形枠体１１の前面に配した後、外装材１２を矩形枠体１１の前面にビス１５で固定し、その後、目地シール材を防水性外壁パネル１０の長辺の一方に両面粘着テープで貼り付け、組立を完了する。組立完了後、図３で示す従来技術と同じように、他の防水性外壁パネル１０に隣接して建物に取付ける。
【００１３】
この防水性外壁パネル１０の作用について説明する。矩形枠体１１の各コーナー部には防水テープ１４が貼着され、枠材１１ａと枠材１１ａとの継目が当該防水テープ１４によって密封されているので、この継目から雨水等が侵入することがない。この防水テープ１４は、略Ｌ字状に設定され、折り畳み時に形成される三角形状の非接着面１４ｄは、前方部分を除く残りの全ての部分が接着面１４ｃによって囲まれているので、矩形枠体１１に密接することができ、防水性に優れる。また、非接着面１４ｄが矩形枠体１１に密接しているので、目地材１６を長辺の一方に貼り付けた防水性外壁パネル１０を、他の防水性外壁パネル１０に隣接して取付ける際に、防水テープ１４が矩形枠体１１から離脱することもない。
【００１４】
矩形枠体１１と外装材１２との間には発泡弾性シール材１３が設けられているので、矩形枠体１１を外装材１２にビス１５で固定すると、発泡弾性シール材１３はその締結力で圧縮されて矩形枠体１１の前面と外装材１２の後面とに密着する。従って、両者の間部分１３ａに雨水等が侵入するのを未然に防止する。また、防水性外壁パネル１０間に目地材１６を圧入する際において、防水性外壁パネル１０の側面に大きな力が作用しても、弾性シール材１３はその構造および組付き形態から、当該力によって外れてしまうこともない。よって、矩形枠体１１と外装材１２との間部分１３ａの防水性を高く維持することができる。
【００１５】
なお、本実施形態においては、目地材１６を防水性外壁パネル１０に取り付けた後に、当該防水外壁パネル１０を建物に取付ける例を示したが、防水性外壁パネル１０を建物に取付けた後に、目地材１６を防水性外壁パネル１０間の目地部に組付けることも可能である。
【００１６】
【発明の効果】
本発明は、矩形枠体１１の各コーナー部に防水テープ１４を貼着し、枠材１１ａと枠材１１ａとの継目を当該防水テープ１４で密封しているので、この継目部分１１ｂから防水性外壁パネル１０内部への雨水等の侵入を未然に防止することができる。また、矩形枠体１１と外装材１２との間には弾性シール材１３を設けているので、矩形枠体１１と外装材１２との間部分１３ａから雨水等が侵入するのを確実に防止することができる。さらに、防水性外壁パネル１０を建物に取付ける際に、その目地材１６が隣接する他の防水性外壁パネル１０の側面に大きな力で弾接しても、当該他の防水性外壁パネル１０の弾性シール材１３のシール効果が低下するといったことはない。よって、矩形枠体１１と外装材１２との間部分１３ａの防水性を高く維持することができる。
【００１７】
また、防水テープ１４を、略Ｌ字状に設定することによって、折り畳み時に形成される三角形状の非接着面１４ｄを、その前方部分を除く残りの全ての部分を接着面１４ｃによって囲むことができるので、当該非接着面１４ｄを矩形枠体１１に密接させることができる。よって、防水性をより高めることができると共に、この防水テープ１４が矩形枠体１１から離脱することもないので、優れた防水性を良好に発揮する。
【図面の簡単な説明】
【図１】  従来例に係る外壁パネルを示す分解斜視図である。
【図２】  図１に示す外壁パネルの組立斜視図である。
【図３】  外壁パネルを他の外壁パネルに隣接して取付ける状態を示す平面図である。
【図４】  本発明の一実施形態に係る防水性外壁パネルの分解斜視図である。
【図５】  図４に示す防水性外壁パネルの組立斜視図である。
【図６】  図４に示す防水性外壁パネルにおいて、略Ｌ字状の防水テープの貼着方法を示す斜視図で、（ａ）〜（ｃ）は貼付工程を示し、（ｄ）は（ａ）の防水テープのみの拡大斜視図である。
【図７】  長方形状の防水テープの貼着方法を示す斜視図である。
【符号の説明】
１０    防水性外壁パネル
１１    矩形枠体
１１ａ  枠材
１１ｂ  継目部分
１２    外装材
１３    弾性シール材
１３ａ  間部分
１４    防水テープ
１４ａ  上部
１４ｂ  下部
１４ｃ  接着面
１４ｄ  非接着面
１５    ビス
１６    目地材
２０    外壁パネル
２１    防水テープ
２６    目地材
【図１】
0003879008.tif 000002
【図２】
0003879008.tif 000003
【図３】
0003879008.tif 000004
【図４】
0003879008.tif 000005
【図５】
0003879008.tif 000006
【図６】
0003879008.tif 000007
【図７】
0003879008.tif 000008
0003879008.tif 000009